(57)【要約】【課題】カバーの紛失や付け忘れを抑制する。【解決手段】本明細書によって開示されるコネクタは、ボルト締めコネクタ１０であって、ボルトＢを締め付けるための上端開口２３が設けられたボルト収容部２２を有するハウジング２０と、上端開口２３に液密状に嵌合可能な嵌合部４１を有し、この嵌合部４１が上端開口の直上に配された嵌合開始位置と上端開口２３に嵌合された嵌合完了位置との間を嵌合および離脱する方向に移動可能なカバー４０とを備え、カバー４０は、嵌合部４１が上端開口２３の直上から後方に退避した退避位置から嵌合開始位置に向かって延びるようにハウジング２０の両側面に設けられた一対の係合リブ２６と係合状態となることで、嵌合部４１を嵌合開始位置と退避位置との間で前後方向に移動可能な状態にしつつ、カバー４０をハウジング２０に組みつけた状態にする係止片４３を有している構成とした。【選択図】図１
2017188322.tif 000002
【特許請求の範囲】
【請求項１】
ボルトを締め付けるための開口を有するハウジングと、
前記開口に液密状に嵌合可能な嵌合部を有し、前記嵌合部が前記開口前に配された嵌合開始位置と前記開口に嵌合された嵌合完了位置との間を嵌合および離脱する方向に移動可能なカバーとを備え、
前記ハウジングは、前記嵌合部が前記開口前から嵌合および離脱方向と交差する方向に退避した退避位置から前記嵌合開始位置に向かって延びる被係合部を有し、
前記カバーは、前記嵌合部を前記嵌合開始位置と前記退避位置との間で移動可能な状態にしつつ、前記被係合部と係合状態となる係合部を有しているコネクタ。
【請求項２】
前記被係合部は、前記ハウジングの幅方向両側の側面において前記退避位置と前記嵌合開始位置との間に前後方向に直線状に延びたリブ状に設けられており、
前記係合部は、前記ハウジングの幅方向両側の側面に沿うように一対設けられており、
前記係合部には、前後方向に貫通して設けられ、前記カバーの前記嵌合部を前記退避位置と前記嵌合開始位置との間で前後方向に案内するように前記被係合部が前後方向に挿通される案内凹部が設けられている請求項１に記載のコネクタ。
【請求項３】
前記係合部は、前記ハウジングから離れる方向である外側に向かって弾性変位可能に設けられており、
前記係合部は、前記嵌合部が前記嵌合開始位置から前記嵌合完了位置に至る過程において、前記ハウジングの外面に突設されたロック部と干渉して弾性変位した状態となり、前記嵌合部が前記嵌合完了位置に至った状態では、前記ロック部との干渉が解除され、前記嵌合部を前記嵌合完了位置に保持するように前記ロック部と前記嵌合部の離脱方向に係止可能となる請求項２に記載のコネクタ。
【請求項４】
前記ハウジングは、前記嵌合部が前記退避位置よりも前記嵌合開始位置とは反対側である後側において前記嵌合部の前記退避位置側の後端部が当接し、前記嵌合部が前記嵌合開始位置よりも前記退避位置とは反対側である前側において前記嵌合部の前記嵌合開始位置側の前端部が当接する凹状の溝部を有している請求項２または請求項３に記載のコネクタ。
【請求項５】
前記被係合部の前記退避位置側である後側の端部には、前記係合部の前記案内凹部を案内するテーパ状の案内面が設けられている請求項４に記載のコネクタ。
【請求項６】
前記ハウジングは、前記カバーの前記係合部が当接して前記嵌合部を前記嵌合開始位置に位置決めする位置決め部を有している請求項１から請求項５のいずれか一項に記載のコネクタ。
【発明の詳細な説明】
【技術分野】
【０００１】
本明細書によって開示される技術は、コネクタに関する。
【背景技術】
【０００２】
例えば、ボルトの締め付けを行うための作業開口を有するコネクタとして、特開２０１５−１３０３００号公報（下記特許文献１）に記載のものが知られている。このコネクタは、作業開口を有するハウジングと、シール機能を有し、作業開口に装着可能なキャップとを備えて構成されており、作業開口においてボルトの締め付けが終わった後、作業開口にキャップを装着することでハウジングの作業開口から水や塵埃などが侵入することが防がれている。
【先行技術文献】
【特許文献】
【０００３】
【特許文献１】特開２０１５−１３０３００号公報
【発明の概要】
【発明が解決しようとする課題】
【０００４】
ところで、上記のコネクタによると、キャップがハウジングと別体に設けられているため、メンテナンス時のキャップの紛失やボルトの締め付け後のキャップの組み付け忘れの虞があり、作業開口にキャップなどのカバーが取り付けられない場合には、コネクタの防水性能が失われてしまう。
【０００５】
本明細書では、カバーの紛失や付け忘れを抑制する技術を開示する。
【課題を解決するための手段】
【０００６】
本明細書によって開示されるコネクタは、ボルトを締め付けるための開口を有するハウジングと、前記開口に液密状に嵌合可能な嵌合部を有し、前記嵌合部が前記開口前に配された嵌合開始位置と前記開口に嵌合された嵌合完了位置との間を嵌合および離脱する方向に移動可能なカバーとを備え、前記ハウジングは、前記嵌合部が前記開口前から嵌合および離脱方向と交差する方向に退避した退避位置から前記嵌合開始位置に向かって延びる被係合部を有し、前記カバーは、前記嵌合部を前記嵌合開始位置と前記退避位置との間で移動可能な状態にしつつ、前記被係合部と係合状態となる係合部を有しているコネクタ。
【０００７】
このような構成のコネクタによると、ハウジングの被係合部とカバーの係合部とを係合させることにより、カバーの嵌合部を前記嵌合開始位置と前記退避位置との間で移動可能な状態にしつつ、カバーとハウジングとを組みつけた状態にすることができる。これにより、カバーの紛失やカバーのハウジングへの付け忘れを抑制することができ、カバーが取り付けられないことに起因してコネクタの防水性能が失われてしまうことを防ぐことができる。また、例えば、ハウジングとカバーとがヒンジによって連結され、ヒンジの復元力によってカバーが嵌合開始位置に付近に保持される場合に比べて、ボルト締め付ける際にカバーがボルトと干渉することを抑制することができる。
【０００８】
本明細書によって開示されるコネクタは、以下の構成としてもよい。
前記被係合部は、前記ハウジングの幅方向両側の側面において前記退避位置と前記嵌合開始位置との間に前後方向に直線状に延びたリブ状に設けられており、前記係合部は、前記ハウジングの幅方向両側の側面に沿うように一対設けられており、前記係合部には、前後方向に貫通して設けられ、前記カバーの前記嵌合部を前記退避位置と前記嵌合開始位置との間で前後方向に案内するように前記被係合部が前後方向に挿通される案内凹部が設けられている構成としてもよい。
【０００９】
このような構成によると、被係合部が案内凹部を前後方向に挿通されることで、嵌合部を退避位置と嵌合開始位置との間で前後方向に案内することができ、カバーを前後方向に円滑に移動させることができる。
【００１０】
前記係合部は、前記ハウジングから離れる方向である外側に向かって弾性変位可能に設けられており、前記係合部は、前記嵌合部が前記嵌合開始位置から前記嵌合完了位置に至る過程において、前記ハウジングの外面に突設されたロック部と干渉して弾性変位した状態となり、前記嵌合部が前記嵌合完了位置に至った状態では、前記ロック部との干渉が解除され、前記嵌合部を前記嵌合完了位置に保持するように前記ロック部と前記嵌合部の離脱方向に係止可能となる構成としてもよい。
【００１１】
このような構成によると、カバーを退避位置から嵌合開始位置まで案内するための係合部を、カバーを嵌合完了位置にロックするためのロック機構として機能させることができる。これにより、カバーを案内するための係合部と、カバーを嵌合完了位置にロックするためのロック部とをカバーに個別に設ける場合に比べて、カバーが大型化することを防ぐことができる。
【００１２】
前記ハウジングは、前記嵌合部が前記退避位置よりも前記嵌合開始位置とは反対側である後側において前記嵌合部の前記退避位置側の後端部が当接し、前記嵌合部が前記嵌合開始位置よりも前記退避位置とは反対側である前側において前記嵌合部の前記嵌合開始位置側の前端部が当接する凹状の溝部を有している構成としてもよい。
【００１３】
このような構成によると、嵌合部が退避位置と嵌合開始位置との間を移動する際に、嵌合部を嵌合開始位置と退避位置との間で移動させる際に、嵌合部と溝部の溝縁とが当接することで、嵌合部が退避位置や嵌合開始位置から勢い余って外れることでカバーがハウジングから脱落することを防ぐことができる。
【００１４】
前記被係合部の前記退避位置側である後側の端部には、前記係合部の前記案内凹部を案内するテーパ状の案内面が設けられている構成としてもよい。
このような構成によると、係合部の案内凹部が被係合部の案内面によって案内されることで、嵌合部を溝部内に嵌合させることができる。これにより、例えば、係合部を被係合部に対して無理嵌めして嵌合部を溝部内に嵌合させる場合に比べて、ハウジングにカバーを取り付ける作業性を向上させることができる。
【００１５】
前記ハウジングは、前記カバーの前記係合部が当接して前記嵌合部を前記嵌合開始位置に位置決めする位置決め部を有している構成としてもよい。
このような構成によると、カバーを退避位置から嵌合開始位置まで移動させる際に、係合部を位置決め部と当接する位置まで移動させることで、嵌合部を嵌合開始位置に移動させることができる。これにより、嵌合部を嵌合開始位置に位置合わせする作業を簡略化することができるから、嵌合作業の作業効率を向上させることができる。
【発明の効果】
【００１６】
本明細書によって開示される技術によれば、カバーの紛失や付け忘れを抑制することができる。
【図面の簡単な説明】
【００１７】
【図１】カバーの嵌合部が退避位置に配された状態を示すコネクタの斜視図
【図２】カバーの嵌合部が嵌合完了位置に配された状態を示すコネクタの斜視図
【図３】カバーのハウジングへの組付過程を示した側面図
【図４】カバーの嵌合部が退避位置に配された状態を示すコネクタの側面図
【図５】カバーの嵌合部が嵌合開始位置に配された状態を示すコネクタの側面図
【図６】カバーの嵌合部が嵌合完了位置に配された状態を示すコネクタの側面図
【図７】同平面図
【図８】図７のＡ−Ａ線の断面に相当する一部切欠断面図
【図９】図７のＢ−Ｂ線断面図
【発明を実施するための形態】
【００１８】
＜実施形態＞
本明細書に開示された技術における一実施形態について図１から図９を参照して説明する。
本実施形態は、電線Ｗの端末に接続されるボルト締めコネクタ（「コネクタ」の一例）１０を例示しており、電線Ｗの端末に接続される図示しない端子と相手方ハウジングＨに収容された図示しない相手方端子とがボルトＢを締め付けることで接続されるものである。なお、以下の説明において、上下方向とは、図３の上下方向を基準とする。また、前後方向とは、図３における図示右側を前側、図示左側を後側として説明する。
【００１９】
ボルト締めコネクタ１０は、端子と、端子を内部に保持する合成樹脂製のハウジング２０と、ハウジング２０に組み付けられる合成樹脂製のカバー４０とを備えて構成されている。
端子は、ボルトＢが挿通される挿通孔を有しており、挿通孔にボルトＢを挿通して相手方端子に締め込むことで端子と相手方端子とが接続されるようになっている。
【００２０】
ハウジング２０は、図１および図７に示すように、幅狭で前後方向に延びた形態をなしており、図１から図６に示すように、前後方向に長いハウジング本体２１と、ボルトＢが収容される上下に長いボルト収容部２２とを備えて構成されている。
【００２１】
ハウジング本体２１は、前後方向に貫通する略円筒状に形成されており、ハウジング本体２１の後方から電線Ｗに接続された端子が挿入されることで、ハウジング本体２１から後方に電線Ｗが引き出されている。なお、図示しないが、ハウジング本体２１の後端部内側には、ゴム栓抑えによって抜け止めされたゴム栓が電線Ｗに外嵌された状態で組み付けられており、このゴム栓によってハウジング本体２１の後端からハウジング本体２１内に水などが浸入することが防がれるようになっている。
【００２２】
ボルト収容部２２は、上方に向かって開口する上端開口（「開口」の一例）２３を有する略円筒状をなし、上下方向に貫通して形成されている。また、ボルト収容部２２は、幅方向よりも前後方向にやや長い形態とされており、ボルト収容部２２の上端開口２３は、図７に示すように、前後方向にやや長い長円形状をなしている。また、ボルト収容部２２は、ハウジング本体２１の前端に一体に設けられており、ボルト収容部２２の内部とハウジング本体２１内部とは、前後方向に連通している。
【００２３】
ボルト収容部２２内には、ハウジング本体２１から前方に突出した状態の端子が配されており、ボルト収容部２２内に設けられた図示しない端子係止部によって端子がハウジング２０内に抜け止めされた状態になると、端子の挿通孔が、ボルト収容部２２内に配されるようになっている。
【００２４】
ボルト収容部２２の上端開口２３は、ボルト収容部２２内にボルトＢを上方から挿入するとともに、ボルトＢを締め付けるための図示しない工具を挿入するための作業孔とされている。したがって、ボルトＢを上端開口２３から挿入して端子の挿通孔に挿通させ、上端開口２３から挿入された工具によってボルトＢを相手方端子に締め込むことで、端子と相手方端子とがボルト収容部２２内において接続され、ボルトＢがボルト収容部２２内に収容されるようになっている。
【００２５】
カバー４０は、ハウジング２０におけるボルト収容部２２の上端開口２３に嵌合可能な嵌合部４１と、ボルト収容部２２の上端開口縁部２４を上方から覆う平板状の蓋部４２と、蓋部４２の幅方向両側縁に設けられた一対の係止片（「係合部」の一例）４３とを備えて構成されている。
【００２６】
嵌合部４１は、ボルト収容部２２の上端開口２３よりも一回り小さい形状をなしており、図５に示すように、ボルト収容部２２の上端開口２３前である上端開口２３の直上の嵌合開始位置から、図８および図９に示すように、ボルト収容部２２の上端開口２３内に配された嵌合完了位置に向けて嵌合部４１を下方に移動させることで嵌合部４１が上端開口２３に嵌合され、上端開口２３が閉止されるようになっている。また、嵌合完了位置から嵌合開始位置に向かって嵌合部４１を上方に移動させることで、上端開口２３から嵌合部４１が離脱する。
【００２７】
また、嵌合部４１の外周面には、図３から図５に示すように、弾性材からなるゴムリング４５が装着されたシール溝４４が周設されており、嵌合部４１が上端開口２３に嵌合されて嵌合完了位置に至ると、図８および図９に示すように、ゴムリング４５がボルト収容部２２の内周面２２Ｂとシール溝４４の奥側内周面４４Ａとに密着することで、ボルト収容部２２の内周面２２Ｂとシール溝４４の奥側内周面４４Ａとの間を液密状にシールしつつ、上端開口２３を閉止するようになっている。
【００２８】
蓋部４２は、嵌合部４１よりも一回り大きい形態で、嵌合部４１の上端に連設されており、嵌合部４１がボルト収容部２２の上端開口２３内の嵌合完了位置に至ると、ボルト収容部２２の上端開口縁部２４を上方から覆うようになっている。
【００２９】
一対の係止片４３は、蓋部４２の幅方向両側縁から下方に延びた平板状に設けられており、各係止片４３は、蓋部４２との付け根を支点にボルト収容部２２から離れる方向である幅方向外側に向かって弾性変位可能とされている。また、各係止片４３の前後方向略中央部には、板厚方向に貫通する係止孔４６が設けられている。この係止孔４６には、ボルト収容部２２の幅方向両側にそれぞれ設けられたロック部２５が嵌まり込むようになっている。
【００３０】
ロック部２５は、図１および図９に示すように、幅方向外側の面が下方に向かうほど幅方向外側に傾斜する第１傾斜面２５Ａと、第１傾斜面２５Ａの下端部からボルト収容部２２に向かうように水平に設けられた係止面２５Ｂとを有している。
ロック部２５には、カバー４０の嵌合部４１が嵌合開始位置から嵌合完了位置に移動される過程で、係止片４３の下端部がロック部２５の第１傾斜面２５Ａに乗り上げることで係止片４３が幅方向外側に弾性変位する。そして、カバー４０の嵌合部４１が嵌合完了位置に至ると、係止片４３の下端部がロック部２５を乗り越えることで、係止片４３とロック部２５との干渉が解除され、ロック部２５が係止片４３の係止孔４６に嵌まり込むことで係止片４３が弾性復帰する。
【００３１】
そして、図６および図９に示すように、ロック部２５の係止面２５Ｂと、係止片４３における係止孔４６の下側内面４６Ａとが上下方向に係止可能となることで嵌合部４１が嵌合完了位置に配された状態でカバー４０がハウジング２０に固定されるようになっている。
また、ロック部２５の後端部には、図３および図７に示すように、第１傾斜面２５Ａの後端縁から後方に向かうほどボルト収容部２２に向かって傾斜する第２傾斜面２５Ｃを有している。
【００３２】
さて、カバー４０の一対の係止片４３における内側の面には、図２および図９に示すように、幅方向外側に向かって凹むとともに、前後に開口する案内凹部４７が設けられており、ハウジング本体２１の幅方向両側の側面２１Ａには、図１から図６に示すように、案内凹部４７内に前後方向に挿通されることで、嵌合部４１を、嵌合部４１がボルト収容部２２の上端開口２３から後方に退避した退避位置と嵌合開始位置との間において、前後方向に案内する一対の係合リブ（「被係合部」の一例）２６が設けられている。
【００３３】
一対の係合リブ２６は、図１および図２に示すように、ハウジング本体２１の幅方向両側の側面２１Ａにおける上端縁に幅方向外側に突出した形態で設けられており、断面略矩形状をなしている。また、一対の係合リブ２６は、図１から図６に示すように、ハウジング本体２１の後端からボルト収容部２２の後端部まで前後方向に直線状に延びたリブ状をなしており、各係合リブ２６の後端下端部には、後方に向かうほど上方に向けて傾斜するテーパ状の案内面２７が設けられている。したがって、各係合リブ２６の後端部は、後方に向かうほど先細り状をなしている。
【００３４】
一方、案内凹部４７は、図７および図９に示すように、幅方向の深さ寸法が係止片４３の板厚寸法の約半分程度の深さ寸法に設定されており、案内凹部４７の幅方向の深さ寸法は、ハウジング本体２１の係合リブ２６の突出寸法よりも大きく設定されている。また、案内凹部４７は、図９に示すように、正面視略矩形状をなしており、図３から図６に示すように、案内凹部４７の上下両側に配された内面４８は、案内凹部４７内に係合リブ２６が挿通される際に、係合リブ２６の上下面２６Ａと摺動可能とされている。
【００３５】
つまり、案内凹部４７内に係合リブ２６が挿通され、一対の係止片４３が一対の係合リブ２６と上下方向に係合した状態で前後方向に円滑に案内されることで、嵌合部４１を嵌合初期位置と退避位置との間で前後方向に移動可能にしつつ、カバー４０をハウジング２０に組み付けた状態にすることができるようになっている。なお、嵌合部４１を退避位置から嵌合初期位置に向けて前方に移動させる過程では、一対の係止片４３の下端部がロック部２５の第２傾斜面２５Ｃに乗り上げることで一対の係止片４３がロック部２５の第１傾斜面２５Ａ上に案内されるようになっている。
【００３６】
また、ハウジング本体２１およびボルト収容部２２の上面には、嵌合部４１のシール溝４４よりも下側の部分が、前後方向に移動可能な状態で嵌合される凹状に凹んだ溝部２８がボルト収容部２２からハウジング本体２１に亘って設けられている。
溝部２８は、図１、図２および図７に示すように、ハウジング本体２１の後端部からボルト収容部２２の前端部（退避位置から嵌合開始位置）まで前後方向に延びた形態をなしており、溝部２８のハウジング本体２１側の前後両側の溝縁２９は、嵌合部４１の前後両端部の外面形状に沿うように丸みを帯びた形態とされている。
【００３７】
そして、カバー４０の嵌合部４１が嵌合開始位置よりも嵌合開始位置側である前側にややずれた状態になると、嵌合部４１の前側下端部が溝部２８の前側の溝縁２９である前側溝縁２９Ａに後方から当接することで、カバー４０が嵌合開始位置よりも前方に移動してハウジング２０から脱落することを防ぐことができるようになっている。また、カバー４０の嵌合部４１が退避位置よりも退避位置側である後側にややずれた状態になると、嵌合部４１の後側下端部が溝部２８の後側の溝縁２９である後側溝縁２９Ｂに前方から当接することで、カバー４０が退避位置よりも後方に移動してハウジング２０から脱落することを防ぐことができるようになっている。
【００３８】
また、嵌合部４１を溝部２８に嵌合させてカバー４０をハウジング２０に組み付ける際には、図３に示すように、係止片４３および嵌合部４１の前端部を下方に下げた状態にしつつ、係止片４３の案内凹部４７における下側内面４８Ａと係合リブ２６の案内面２７とを摺動させるようにして、係合リブ２６の後端部を案内凹部４７内に嵌合させることで、嵌合部４１を溝部２８内に円滑に嵌合させることができるようになっている。これにより、例えば、係合リブに対して係止片を無理に弾性変形させて嵌合部を凹溝内に嵌合させる場合に比べて、カバー４０の組み付け作業を円滑に行うことができるとともに、係止片４３や係合リブ２６が破損することを防ぐことができる。
【００３９】
また、ボルト収容部２２の幅方向両側の側面２２Ａには、図１から図５に示すように、幅方向両側に突出する位置決め部３０が突設されている。位置決め部３０は、前後よりも上下方向に長い側面視略矩形のブロック状に形成されており、カバー４０の嵌合部４１を退避位置から嵌合初期位置に移動させる過程で、各係止片４３の前端面４３Ａに前方から当接して係止片４３を前止まりすることで、嵌合部４１を嵌合初期位置に位置決めすることができるようになっている。
【００４０】
これにより、嵌合部４１を、退避位置から嵌合初期位置に移動し、嵌合部４１をボルト収容部２２の上端開口２３に嵌合させる際に、嵌合部４１を嵌合初期位置に容易に位置決めすることができるようになっている。
【００４１】
本実施形態は、以上のような構成であって、続いて、ボルト締めコネクタ１０の組み立て手順を簡単に説明するとともに、ボルト締めコネクタ１０の作用および効果について説明する。
まず、電線Ｗの端末に接続された端子とハウジング２０とを準備し、ハウジング２０のハウジング本体２１における後端開口から電線Ｗの端末に接続された端子を挿入する。そして、端子がボルト収容部２２内に進入し、端子がハウジング本体２１の端子係止部によって抜け止めされると、端子のボルト挿通孔がボルト収容部２２内に配される。
【００４２】
次に、ハウジング２０内において端子が抜け止めされたところで、予め電線Ｗに先通ししておいたゴム栓およびゴム栓抑えを引き戻し、ハウジング本体２１の後端部にゴム栓およびゴム栓抑えを装着する。これにより、ハウジング本体２１の後端開口から水などが浸入することが防がれる。
【００４３】
次に、嵌合部４１のシール溝４４にゴムリング４５が装着されたカバー４０を準備し、ハウジング２０にカバー４０を組み付ける。
この組付け過程では、図３に示すように、カバー４０の前端部を下方に下げるようにしてカバー４０を傾け、ハウジング本体２１の係合リブ２６の後端部をカバー４０の係止片４３における案内凹部４７内に前方からそれぞれ嵌合させる。
【００４４】
すると、各係合リブ２６の案内面２７と案内凹部４７の下側内面４８Ａとが摺動しつつ、係止片４３が係合リブ２６に円滑に案内され、図４に示すように、嵌合部４１の後端部が溝部２８内に嵌合されて嵌合部４１が退避位置に配されると共に、係止片４３と係合リブ２６とが上下方向に係合する。また、嵌合部４１がやや後側にずれる場合には、嵌合部４１の後側下端部が溝部２８の後側溝縁２９Ｂに前方から当接可能となることで、カバー４０が退避位置よりも後方に移動することが防がれる。これにより、カバー４０がハウジング２０から脱落しないように組み付けられた状態となり、ボルト締めコネクタ１０が完成する。
【００４５】
次に、完成したボルト締めコネクタ１０の端子と相手方ハウジングＨに収容された相手方端子とを接続する手順について説明する。
ボルト締めコネクタ１０の端子と相手方ハウジングＨに収容された相手方端子とを接続するにあたり、まず、ボルト収容部２２の下端部を相手方ハウジングＨに嵌合させ、相手方ハウジングＨに収容された相手方端子上にボルト収容部２２内に配された端子を配置する。
【００４６】
相手方端子上に端子が配されたところで、ボルト収容部２２の上端開口２３からボルトＢおよび工具を挿入し、工具によってボルトＢを相手方端子に締め込むことで端子と相手方端子とがボルト収容部２２内において接続される。このとき、カバー４０の嵌合部４１は、ボルト収容部２２の上端開口２３の直上から退避した退避位置に配されているから、ボルトＢや工具とカバー４０とを干渉させずに、ボルトＢや工具を上端開口２３からボルト収容部２２内に挿入することができる。
【００４７】
次に、端子と相手方端子とがボルトＢによって接続されたところで、ボルト収容部２２の上端開口２３をカバー４０によって閉止する。
カバー４０による上端開口２３の閉止は、まず、嵌合部４１を退避位置から嵌合開始位置まで移動させるようにしてカバー４０を前方に移動させる。このカバー４０の移動過程では、嵌合部４１が退避位置から嵌合開始位置まで移動したところで、各位置決め部３０が対応する係止片４３の前端面４３Ａに前方から当接し、係止片４３が前止まりされることで、図５に示すように、嵌合部４１が嵌合初期位置に位置決めされる。
【００４８】
そして、嵌合初期位置に位置決めされた嵌合部４１を下方に移動させるようにして、カバー４０を下方に移動させることで、図８および図９に示すように、嵌合部４１が上端開口２３に嵌合されて嵌合完了位置に配される。そして、嵌合部４１のゴムリング４５によってボルト収容部２２の内周面２２Ｂと嵌合部４１との間がシールされることで、ボルト収容部２２の上端開口２３がカバー４０によって閉止される。
【００４９】
つまり、本実施形態によると、嵌合部４１を退避位置から嵌合開始位置に向かって移動させた際に、係止片４３を位置決め部３０に当接させることで、嵌合部４１を嵌合初期位置にほぼ位置決めすることができるから、嵌合部４１を嵌合初期位置に位置合わせする作業を簡略化することができ、嵌合作業の作業効率を向上させることができる。
【００５０】
以上のように、本実施形態によると、ハウジング２０のハウジング本体２１に一対の係合リブ２６を形成し、この係合リブ２６が前後方向に挿通される案内凹部４７をカバー４０の係止片４３に形成することで、嵌合部４１を退避位置と嵌合開始位置との間で前後方向に円滑に移動できるようにしつつ、カバー４０をハウジング２０に組みつけた状態にすることができる。これにより、カバー４０を紛失したり、カバー４０をハウジング２０へ付け忘れたりすることを抑制することができ、カバー４０がハウジング２０に取り付けられないことに起因してボルト締めコネクタ１０の防水性能が失われてしまうことを防ぐことができる。
【００５１】
また、本実施形態によると、カバー４０がハウジング２０に組み付けられた状態で、嵌合部４１を、ボルト収容部２２の上端開口２３の直上から退避した退避位置に移動させることができるから、例えば、カバーがハウジングにヒンジによって連結され、ヒンジの復元力によってカバーが嵌合開始位置に付近に保持される場合に比べて、ボルトＢの締め付け作業中に、カバー４０が作業の邪魔になることを防ぐことができる。
【００５２】
また、本実施形態によると、ボルト収容部２２のロック部２５と上下方向に係止することで、カバー４０の嵌合部４１をボルト収容部２２の上端開口２３に嵌合させた状態に保持する係止片４３に、案内凹部４７を設け、係止片４３と係合リブ２６とを係合させているから、例えば、係合リブと係合する係合片を係止片とは別に設ける場合に比べて、カバー４０が大型化することを防ぐことができる。
【００５３】
また、本実施形態によると、嵌合部４１が退避位置から嵌合初期位置へ移動させる際に、嵌合部４１の前側下端部が溝部２８の前側溝縁２９Ａに後方から当接することでカバー４０が嵌合初期位置よりも前方に移動することが防がれ、嵌合部４１が嵌合初期位置から退避位置へ移動させる際に、嵌合部４１の後側下端部が溝部２８の後側溝縁２９Ｂに前方から当接することでカバー４０が退避位置よりも後方に移動したりすることが防がれるから、カバー４０を退避位置と嵌合初期位置との間で移動させる際に、カバー４０が勢い余ってハウジング２０から脱落することを防ぐことができる。
【００５４】
＜他の実施形態＞
本明細書で開示される技術は上記記述及び図面によって説明した実施形態に限定されるものではなく、例えば次のような種々の態様も含まれる。
（１）上記実施形態では、電線Ｗに接続された１つの端子がハウジング２０内に収容された構成とした。しかしながら、これに限らず、ハウジング２０に複数の端子が収容される構成にしてもよい。
（２）上記実施形態では、嵌合部４１のシール溝４４よりも下側の部分が溝部２８内に嵌合される構成にした。しかしながら、これに限らず、嵌合部のシール溝に装着されたゴムリングまでが凹溝内に嵌合される構成にしてもよい。
【００５５】
（３）上記実施形態では、カバー４０を退避位置に仮止めせずに保持する構成にした。しかしながら、これに限らず、カバーとハウジングとの間に、カバーを退避位置に仮止めする仮止め機構を設けた構成にしてもよい。
（４）上記実施形態では、電線Ｗに接続された端子をハウジング２０のハウジング本体２１内に後方から組み付ける構成にした。しかしながら、これに限らず、電線Ｗに接続された端子をハウジングによってモールドする構成にしてもよい。
【符号の説明】
【００５６】
１０：ボルト締めコネクタ（「コネクタ」の一例）
２０：ハウジング
２３：上端開口（「開口」の一例）
２５：ロック部
２６：係合リブ（「被係合部」の一例）
２７：案内面
２８：溝部
３０：位置決め部
４０：カバー
４１：嵌合部
４３：係止片（「係合部」の一例）
４７：案内凹部
Ｂ：ボルト
【図１】
2017188322.tif 000003
【図２】
2017188322.tif 000004
【図３】
2017188322.tif 000005
【図４】
2017188322.tif 000006
【図５】
2017188322.tif 000007
【図６】
2017188322.tif 000008
【図７】
2017188322.tif 000009
【図８】
2017188322.tif 000010
【図９】
2017188322.tif 000011